【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
基板及びマイクロ流体回路材料を含むエンクロージャであって、それぞれ前記エンクロージャ内に位置するフロー領域及び少なくとも１つの隔離ペンを画定する、エンクロージャと、
前記少なくとも１つの隔離ペン内に配置される少なくとも１つのインサイチュー生成捕捉構造であって、固化ポリマー網目構造を含む、少なくとも１つのインサイチュー生成捕捉構造と
を含み、
前記固化ポリマー網目構造が、１つ又は複数の官能化部位を含む、
マイクロ流体デバイス。
【請求項２】
前記固化ポリマー網目構造が、アッセイ試薬又はアッセイ検体を含む、請求項１に記載のマイクロ流体デバイス。
【請求項３】
前記少なくとも１つの隔離ペンが、分離領域及び接続領域を含み、前記接続領域が、前記フロー領域への基端開口部及び前記分離領域への先端開口部を有する、請求項１又は２に記載のマイクロ流体デバイス。
【請求項４】
前記少なくとも１つのインサイチュー生成捕捉構造が、前記隔離ペンの前記分離領域内に配置される、請求項３に記載のマイクロ流体デバイス。
【請求項５】
前記固化ポリマー網目構造が、前記固化ポリマー網目構造に非共有結合的に付着されるアッセイ試薬を備える、請求項２から４のいずれか１項に記載のマイクロ流体デバイス。
【請求項６】
前記固化ポリマー網目構造が、タンパク質、核酸、有機分子、及び／又はサッカリドを含むアッセイ試薬を備える、請求項２から５のいずれか１項に記載のマイクロ流体デバイス。
【請求項７】
前記アッセイ試薬が、抗体又は抗原を含む、請求項６に記載のマイクロ流体デバイス。
【請求項８】
２つ以上のインサイチュー生成捕捉構造が、前記少なくとも１つの隔離ペンに配置される、請求項１から７のいずれか１項に記載のマイクロ流体デバイス。
【請求項９】
前記固化ポリマー網目構造が、光開始ポリマーを含む、請求項１から８のいずれか１項に記載のマイクロ流体デバイス。
【請求項１０】
前記固化ポリマー網目構造が、合成ポリマー、修飾合成ポリマー、生体ポリマー、又はそれらの任意の組合せを含む、請求項１から９のいずれか１項に記載のマイクロ流体デバイス。
【請求項１１】
前記基板が、前記エンクロージャ内で誘電泳動（ＤＥＰ）力を生成するように構成される、請求項１から１０のいずれか１項に記載のマイクロ流体デバイス。
【請求項１２】
少なくとも第１のインサイチュー生成捕捉構造を含むマイクロ流体デバイスにおいて微小物体をアッセイする方法であって、
前記マイクロ流体デバイス内において、固化ポリマー網目構造を含む前記少なくとも第１のインサイチュー生成捕捉構造への基端にある領域に微小物体を配置することであって、前記固化ポリマー網目構造は、アッセイ試薬又はアッセイ検体を含む、配置することと、
前記アッセイ試薬又は前記アッセイ検体を前記微小物体又は前記微小物体の生物学的産物に接触させることと、
前記アッセイ試薬又は前記アッセイ検体と前記微小物体又は前記生物学的産物との相互作用を検出することと
を含む方法。
【請求項１３】
前記マイクロ流体デバイスが、基板及びマイクロ流体回路材料を含むエンクロージャを含み、前記エンクロージャが、フロー領域及び少なくとも１つの隔離ペンを画定し、
前記少なくとも第１のインサイチュー生成捕捉構造が、前記少なくとも１つの隔離ペン内に配置される、請求項１２に記載の方法。
【請求項１４】
前記少なくとも１つの隔離ペンが、分離領域及び接続領域を含み、
前記接続領域が、前記フロー領域への基端開口部及び前記分離領域への先端開口部を有し、
前記少なくとも第１の捕捉構造が、前記隔離ペンの前記分離領域内に配置される、
請求項１２又は１３に記載の方法。
【請求項１５】
前記アッセイ試薬又は前記アッセイ検体が、前記固化ポリマー網目構造に非共有結合的に付着される、請求項１２から１４のいずれか１項に記載の方法。
【請求項１６】
前記固化ポリマー網目構造が、アッセイ試薬を含み、前記アッセイ試薬が、タンパク質を含む、請求項１２から１４のいずれか１項に記載の方法。
【請求項１７】
前記アッセイ試薬が、抗原又は抗体を含む、請求項１６に記載の方法。
【請求項１８】
前記生物学的産物が、タンパク質、オリゴヌクレオチド、有機分子、又はサッカリドを含む、請求項１２から１７のいずれか１項に記載の方法。
【請求項１９】
前記微小物体の前記生物学的産物が、抗体又は抗原である、請求項１２から１８のいずれか１項に記載の方法。
【請求項２０】
前記アッセイ試薬又は前記アッセイ検体を前記生物学的産物又は前記微小物体に接触させることが、非共有結合複合体を形成することを更に含む、請求項１２から１９のいずれか１項に記載の方法。
【請求項２１】
前記相互作用を検出することが、検出可能な標識を有する検出試薬を、前記少なくとも第１のインサイチュー生成捕捉構造への基端にある前記領域に導入することを更に含む、請求項１２から２０のいずれか１項に記載の方法。
【請求項２２】
前記検出可能な標識が、前記アッセイ試薬又は前記アッセイ検体が前記生物学的産物又は前記微小物体と相互作用するとき、前記少なくとも第１のインサイチュー生成捕捉構造へ集中されるように構成される、請求項２１に記載の方法。
【請求項２３】
前記検出するステップが、前記少なくとも第１のインサイチュー生成捕捉構造からの蛍光信号を検出することを含む、請求項１２から２２のいずれか１項に記載の方法。
【請求項２４】
前記マイクロ流体デバイスが、前記少なくとも１つの隔離ペン内に配置される第２のインサイチュー生成捕捉構造を更に含み、前記第２のインサイチュー生成捕捉構造が、第２の固化ポリマー網目構造を含み、
前記第２の固化ポリマー網目構造が、第２のアッセイ試薬又は第２のアッセイ検体を含み、前記第１のインサイチュー生成捕捉構造及び前記第２のインサイチュー生成捕捉構造のそれぞれが、異なるアッセイ試薬又はアッセイ検体を含み、前記検出するステップが、前記微小物体の第１の生物学的産物及び前記微小物体の第２の生物学的産物を検出することを含み、前記第１の生物学的産物が、前記第２の生物学的産物と異なる、
請求項１３から２２のいずれか１項に記載の方法。
【請求項２５】
前記マイクロ流体デバイス内において、前記少なくとも第１のインサイチュー生成捕捉構造への基端にある前記領域に前記微小物体を配置することが、誘電泳動力を使用して前記微小物体を移動させることを含む、請求項１２から２４のいずれか１項に記載の方法。
【請求項２６】
前記誘電泳動力が、光学的に作動される、請求項２５に記載の方法。
【請求項２７】
基板及びマイクロ流体回路材料を含むエンクロージャであって、フロー領域及び少なくとも１つの隔離ペンを画定する、エンクロージャと、
制御可能に活性化されて、固化ポリマー網目構造を形成することができる官能化プレポリマーと
を含むマイクロ流体デバイスを含むキット。
【請求項２８】
少なくとも第１のインサイチュー生成捕捉構造を含むマイクロ流体デバイスを準備する方法であって、
前記マイクロ流体デバイスを提供することであって、前記マイクロ流体デバイスは、基板及びマイクロ流体回路材料を含むエンクロージャを含み、前記エンクロージャは、フロー領域及び前記フロー領域に流体的に接続される少なくとも１つの隔離ペンを画定する、提供することと、
第１の流動性官能化プレポリマーを前記フロー領域に導入することと、
前記少なくとも１つの隔離ペンの少なくとも１つの選択されたエリアにおいて前記第１の流動性官能化プレポリマーの固化を活性化し、それにより、その中で前記少なくとも第１のインサイチュー生成捕捉構造を形成することと
を含む方法。
【請求項２９】
前記少なくとも第１のインサイチュー生成捕捉構造が、１つ又は複数の官能化部位を含む固化ポリマー網目構造を含む、請求項２８に記載の方法。
【請求項３０】
第１の官能化アッセイ試薬又はアッセイ検体を前記少なくとも１つの隔離ペン内の前記少なくとも第１のインサイチュー生成捕捉構造に導入することと、
前記第１の官能化アッセイ試薬又はアッセイ検体を前記少なくとも第１のインサイチュー生成捕捉構造の前記固化ポリマー網目構造の前記官能化部位に会合させることと
を更に含む、請求項２８又は２９に記載の方法。
【請求項３１】
前記第２以上のインサイチュー生成捕捉構造を前記少なくとも１つの隔離ペン内に導入することを更に含み、前記第２以上のインサイチュー生成捕捉構造を導入することは、
第２の流動性官能化プレポリマーを前記フロー領域に導入するステップと、
前記少なくとも１つの隔離ペンの少なくとも第２の選択されたエリアにおいて前記第２の流動性官能化プレポリマーの固化を活性化し、それにより、その中に前記第２以上のインサイチュー生成捕捉構造を形成するステップと、
第２の官能化アッセイ試薬又はアッセイ検体を導入するステップであって、前記第２以上の官能化アッセイ試薬又はアッセイ検体が、前記少なくとも１つの隔離ペン内の第２以上のインサイチュー生成捕捉構造上の第２以上の官能化部位と会合するステップと、
を含み、
前記第２の官能化アッセイ試薬又はアッセイ検体が、前記第１の官能化アッセイ試薬又はアッセイ検体から検出可能に区別可能である、 
請求項３０に記載の方法。